(57)【要約】【課題】本考案の目的は、住空間の趣を向上させ、人の心に安らぎを与える装飾用置物を提供することにある。【解決手段】本考案は水が溜められる第１容器２と、第１容器２の上に配置されて、第１容器２に溜められた水を内部に取り入れられるように底面、もしくは下部側面、あるいはその両方が開放された置物本体１と、置物本体１の上部に設けられた水を一定量溜められる第２容器３と、第２容器３の内側に設けられた水の噴出口５と、置物本体１の内部に設置された第１容器２に溜められた水を噴出口５に送り出すポンプ４で構成される。第１容器２に溜められた水はポンプ４によって噴出口５に送られ、噴出し、第２容器３に溜められた後に溢れ出し、置物本体１の表面を伝わって、再び、第１容器２へと戻る。【選択図】図２
0003121697.tif 000002
【実用新案登録請求の範囲】
【請求項１】
水が溜められる第１容器と、第１容器の上に設置される、上部に水の噴出口を有し、表面に水を伝わせる置物本体と、水を噴出させるための動力から構成されることを特徴とした装飾用置物。
【請求項２】
前記置物本体は、上部に水の噴出口を内側に有する、水を一定量溜められる第２容器を設けられることを特徴とした請求項１に記載の置物。
【請求項３】
前記噴出口は、第２容器の底面部より突出していることを特徴とした請求項２に記載の置物。
【請求項４】
前記噴出口は、第２容器の底面部より突出し、又、第２容器に水を溜めたときの水面より低い位置にあることを特徴とした請求項3に記載の置物。
【請求項５】
前記第一容器は、前記置物本体の形状を外部から見やすくするために、置物本体を覆い隠さない程度の大きさであることを特徴とした請求項１〜4に記載の置物。
【請求項６】
前記動力は、家庭用電気で使用可能なポンプを利用することを特徴とした請求項１〜5のいずれかに記載の置物。
【請求項７】
前記置物本体は、前記動力が水を前記噴出口に送り出しやすくするために、前記第一容器に溜められた水の水面より上位に空気穴を設けていることを特徴とした請求項１〜６のいずれかに記載の置物。
【請求項８】
前記第一容器の形状は、碗状、あるいは皿状、または盆状であることを特徴とした請求項１〜7のいずれかに記載の置物。
【請求項９】
前記置物本体は、陶器または磁器から形成され、内部が空洞であることを特徴とした請求項１〜8のいずれかに記載の置物。
【請求項１０】
前記第二容器は、陶器または磁器から形成されることを特徴とした請求項１〜9に記載の置物。
【請求項１１】
前記第一容器は、陶器または磁器から形成されることを特徴とした請求項１〜１0に記載の置物。
【考案の詳細な説明】
【技術分野】
【０００１】
本考案は、住空間の趣を向上させ、人の心に安らぎを与える装飾用置物に関するものである。
【背景技術】
【０００２】
住空間の趣を向上させるための手段の一つとして、置物を配置することが挙げられる。特に、焼き物、陶磁器製品は静かな趣を作り出し、見る人の心に安らぎを与えてきた。しかし、まったく動きの無い置物は、時として、寂しさを感じさせる。一方で、激しい動きのある置物は、時として、趣自体を壊してしまう。
【考案の開示】
【考案が解決しようとする課題】
【０００３】
本考案の目的は、ゆるやかな動きで住空間の趣を向上させ、人の心に安らぎを与える装飾用置物を提供することにある。
【課題を解決するための手段】
【０００４】
本考案の請求項１に記載の置物は、水が溜められる第１容器と、第１容器の上に設置される、上部に水の噴出口を有し、表面に水を伝わせる置物本体と、水を噴出させるための動力から構成されることを特徴とする。作動時には、第一容器に水を溜め、動力により置物本体の上部にある噴出口から噴き出させる。
【０００５】
本考案の請求項２に記載の置物では、前記置物本体は、上部に水の噴出口を内側に有する、水を一定量溜められる第２容器を設けられることを特徴とする。この場合、作動時には噴出口から噴き出た水を、一旦、第２容器に溜めてから溢れさせる。
【０００６】
本考案の請求項３に記載の置物では、前記噴出口は、第２容器の底面部より突出していることを特徴とする。
【０００７】
本考案の請求項４に記載の置物では、前記噴出口は、第２容器の底面部より突出し、又、第２容器に水を溜めたときの水面より低い位置にあることを特徴とする。
【０００８】
本考案の請求項５に記載の置物では、前記第一容器は、前記置物本体の形状を外部から見やすくするために、置物本体を覆い隠さない程度の大きさであることを特徴とする。
【０００９】
本考案の請求項６に記載の置物では、前記動力は、家庭用電気で使用可能なポンプを利用することを特徴とする。
【００１０】
本考案の請求項７に記載の置物では、前記置物本体は、前記動力が水を前記噴出口に送り出しやすくするために、前記第１容器に溜められた水の水面より上位に空気穴を設けていることを特徴とする。
【００１１】
本考案の請求項8に記載の置物では、前記第１容器の形状は、碗状、あるいは皿状、または盆状であることを特徴とする。
【００１２】
本考案の請求項9に記載の置物では、前記置物本体は、陶器または磁器から形成され、内部が空洞であることを特徴とする。
【００１３】
本考案の請求項１0に記載の置物では、前記第２容器は、陶器または磁器から形成されることを特徴とする。
【００１４】
本考案の請求項１1に記載の置物では、前記第１容器は、陶器または磁器から形成されることを特徴とする。
【考案の効果】
【００１５】
本考案の請求項１によれば、置物本体の上部より水が排出されることにより、置物本体の表面に水が伝わりながら第１容器へと落ちていき、置物本体のシルエットをなぞりながら流れていく水の流動や、光の反射による美観が形成される。
【００１６】
また、本考案の請求項２によれば、第２容器に溜められた水の水面の波紋や流動の美しさと、容器よりあふれ出す水の豊かさ等が表現される。
【００１７】
また、本考案の請求項３によれば、噴出口が第２容器の底面より高い位置にあるため、噴出口から下部にある第２容器に溜められた水は下に落ちないようになる。これにより、作動中に水を加える等をして第１容器の容量を超える水が流動していた場合、停止時に全て第１容器に落ちて溢れ出し、周囲を汚すことを防ぐ。
【００１８】
また、本考案の請求項４によれば、噴出口が第２容器の底面より上部にあるために、上記の停止時の第１容器の溢れを防ぐとともに、第２容器の水面より下にあるために、水が水面下から噴き出し、湧き出すイメージを表現できる。また、噴出口が第２容器の底面にある場合に比べ、水面上までに水を噴出させるために必要な水圧が軽減されるため、水面におこる波紋を小さくすることができ、より静かな趣を作り出すことができる。
【００１９】
また、本考案の請求項５によれば、第１容器が置物本体を覆い隠さないため、置物本体の形状を水が伝わる美しさを損ねることなく表現できる。
【００２０】
また、本考案の請求項６によれば、動力に家庭用電気で扱えるポンプを利用するために、一般家庭等でも使用が簡単になり、設置場所の幅も大きく広がる。また、水をポンプで循環させることにより、必要な水量が少なくすみ、小型化が可能になり、例えば、卓上型等にすることもできる。
【００２１】
また、本考案の請求項７によれば、空気穴を設けることにより、設置時に置物本体内部の空気圧が上がることを防ぎ、第１容器の水面と置物本体内部の水面とが等しくなり、動力が水を噴出口まで送ることが容易になる。この空気穴が無い場合は、設置時に本体内部の空気圧によって本体内部に入る水が押され、必要な水位が得られない場合がある。
【００２２】
また、本考案の請求項８によれば、置物本体が壷状の形をしているために、第二容器から溢れた水は置物本体の表面の周囲全体を覆うように伝わり、独自の美しさを表現できる。また、壷の形をとることで、伝統的な和風的景観を作り出せる。
【００２３】
また、本考案の請求項９によれば、第１容器の形状が碗状、あるいは皿状、または盆状であるために、置物全体の設置に安定を与え、また、日常的に見慣れた形をとることで見るものに安心をもたらすことができる。
【００２４】
また、本考案の請求項１０〜１1によれば、本製品の動力部以外の一部、もしくは全てを陶器製にすることにより、置物としての価値を上げ、また、陶器製品独特の趣を作り出すことができる。
【考案を実施するための最良の形態】
【００２５】
以下、添付図面を参照して、本考案に従う置物の一実地形態について説明する。
【００２６】
図１に示すように装飾用の置物本体１が、水が溜められる第１容器２の上に設置され、その上部に水が溜められる第２容器３が設置される。
【００２７】
図２に示すように置物本体１の内部には第１容器２に溜められた水を吸い上げられるようにポンプ４が設置される。ポンプ４は噴出口５とパイプ６で繋がれる。このパイプ６の長さは必要に応じて変えられ、可能ならばポンプ４と噴出口５は直接繋がれる。
【００２８】
図３のように実際の作動時には、第１容器２に溜められた水７はポンプ４によってパイプ６を通り、噴出口５まで上げられ、噴出し、第２容器３で溜められた後、第２容器３より溢れ出し、置物本体１の表面を伝わって第１容器２に落ちる。
【００２９】
このようにして第２容器３に噴き出た水が水面を揺らし、溢れ出て置物本体を伝わって流れ、波紋を生じさせたり、光を反射させたり、水音を発生させることで、趣のある美観を演出する。
【００３０】
作動中、第１容器２に溜められた水７が置物を循環させるのに足りない場合や、水が蒸発して足りなくなってしまった場合は、外部から水を補給する。
【００３１】
作動後、ポンプ４を停止させたときに循環していた水は第１容器２に戻るが、図４のように噴出口５が、第２容器３の底面より突出しているため、噴出口５より下位にある第２容器３内の水はとどめられ、後から水を追加して水の総量が第１容器２の容量を上まわる場合でも、水が第１容器２から溢れ出すことを防ぐ。
【００３２】
以上の説明の図では置物本体１は壷状をしていたが、他の形でもよい。例えば、箱形、円筒形などが考えられる。また、表面に彩色を施したりしてもよい。
【００３３】
いずれの形状でも、（１）内部空間を有すること、（２）下部側面や底面に水を取り入れる穴が開いていること、の２点が必要である。これは、置物本体１の内部空間のポンプに十分な水を取り入れる必要があるためである。
【００３４】
また、この条件を満たすために例えば、底面に穴の開いた置物本体１の下に、図５のような台を置くことも考えられる。このような台を用いる場合は、置物本体自体の下部側面に横穴は必要なく、底面部が空いていればよい。
【００３５】
図６のように第１容器２に溜められた水の水面より上位の置物本体１の側面に空気穴９を設ける場合もある。これは、図７のように水取り入れ口８が水面より下にある場合で置物本体１内部が密閉された状態になれば、置物設置時に置物本体１内部の水が空気圧によって押されて、ポンプ４が水を上げるのに必要な水位が得られない状態になることを防ぐためである。
【００３６】
このように、空気穴９を設け、置物本体１内部と外部の空気圧を等しくすることで図８のように置物本体１内部の水位を第１容器２に溜められた水と等しくすることができる。
【００３７】
この空気穴は図2のように置物本体１の水取り入れ口が第１容器２に溜められた水の水面より上位まで広い場合には設ける必要は無い。
【００３８】
この空気穴のサイズ、形、個数は特に指定しない。例えば、月型や星型などで装飾を兼ねることも考えられる。
【００３９】
また、以上の説明図では置物本体１と第２容器３は別個の部品からなるが、図９のようにあらかじめ一体化した形でもよい。
【図面の簡単な説明】
【００４０】
【図１】本考案の一実地形態の置物の正面図
【図２】図１の内部構造を説明する断面図
【図３】実際に作動させた場合の水の動きを説明する断面図
【図４】停止時の水の溜まりかたを説明する断面図
【図５】付属品の例
【図６】空気穴を設けた場合の置物本体の一例の正面図
【図７】置物本体内部が密閉された場合の水位を説明する断面図
【図８】空気穴を設けた場合の水位を説明する断面図
【図９】置物本体と第２容器を一体化した場合の一例の断面図
【符号の説明】
【００４１】
１  置物本体
２  第１容器
３  第２容器
４  ポンプ
５  噴出口
６  パイプ
７  水
８  水取り入れ口
９  空気穴
【図１】
0003121697.tif 000003
【図２】
0003121697.tif 000004
【図３】
0003121697.tif 000005
【図４】
0003121697.tif 000006
【図５】
0003121697.tif 000007
【図６】
0003121697.tif 000008
【図７】
0003121697.tif 000009
【図８】
0003121697.tif 000010
【図９】
0003121697.tif 000011